(57)【要約】【課題】遊技機筐体に対してデザインを変更することなく、遊技機の内部または表面にマイナスイオンを発生させ、遊技者に快適な環境を提供する遊技機を提供する。【解決手段】パチンコ遊技機１０は、遊技機内部の音声発生部近傍または動力部近傍にマイナスイオン発生装置が設けられており、従来からあるデザインを変更することなくマイナスイオンを放出させることができる。【選択図】　　　図２
2004121574.tif 000002
【特許請求の範囲】
【請求項１】
筐体と、
前記筐体内に設けられた音声発生部と、
前記音声発生部から発生される音声を前記筐体前方に放出可能となるように前記筐体に設けられた透音部と、を備える遊技機であって、
前記遊技機はマイナスイオンを発生させるマイナスイオン発生部を有し、
前記マイナスイオン発生部は前記透音部を介してマイナスイオンを前記筐体前方に放出可能となるように前記透音部の近傍に設けられていることを特徴とする遊技機。
【請求項２】
筐体と、
前記筐体内に設けられた動力部と、を備える遊技機であって、
前記遊技機はマイナスイオンを発生させるマイナスイオン発生部を有し、
前記マイナスイオン発生部は、マイナスイオンを前記動力部に対して放出可能となるように設けられていることを特徴とする遊技機。
【発明の詳細な説明】
【０００１】
【発明の属する技術分野】
本発明は、遊技機に関するものである。
【０００２】
【従来の技術】
近年、巷ではマイナスイオンが発生する家電が流行している。空気清浄機、ドライヤー、扇風機など、機器の種類は多岐にわたる。効果は機器により様々であるが、リフレッシュ効果、脱臭、カビ抑制効果が主にうたわれることが多い。
【０００３】
一方、従来、遊技場には喫煙者が多いため、空気が汚染しやすい。また、限られた空間内に遊技機が多数設置されているため、空気がこもりがちである。そのため、遊技場の空気は非常に悪く、不快感を覚える遊技者は少なくない。更に遊技機は電子機器であるため、プラスイオンが特に放出されやすい。
【０００４】
イオンとは、電気を帯びた微粒子で、プラスの電気を帯びたプラスイオンと、マイナスの電気を帯びたマイナスイオンに分かれる。プラスイオンは主に都市部や電子機器の多い場所に特に発生しやすく、肩こり、イライラ、更には糖尿病や高脂血症などの生活習慣病の原因にもなる。
【０００５】
従って、遊技場では、空気の悪さとプラスイオンの多さから、遊技者は、非常にイライラした状態になり、遊技を十分に楽しめない可能性がある。そこで、流行のマイナスイオン発生機器を、遊技場にも取り入れることができないかと考えられてきた。
【０００６】
このような考えを実行するため、従来のパチンコ店用空気清浄機構では、パチンコ台の上方に位置する幕板部にイオン化線を備え、イオン化線の近傍には塵などを吸着する集塵紙を備え、イオン化線と集塵紙間に電位差が生じることでマイナスイオンが発生し、空気中の塵などにもマイナス電荷を与え、マイナスに電荷された塵などを静電気的引力により集塵紙に吸着させるようにしている（例えば、特許文献１参照）。
【０００７】
また、パチンコ遊技者用空気清浄装置付呼出ランプでは、外気を吸引するシロッコファンと吸引した外気を清浄化する空気清浄装置とが設けられている。シロッコファンによって吸引された煙草の煙などの粉塵粒子は、空気清浄装置内に設けられたイオナイザユニットで生成されるマイナスイオンによって負極性に帯電され、正極性の集塵電極によって吸着捕集されてパチンコ店内の空気は清浄化される（例えば、特許文献２参照）。
【０００８】
【特許文献１】
特開平９−１２２３４８号公報（第２頁、第１図、第２図）
【特許文献２】
特開平１０−２９５９１７号公報（第２―４頁、第２図）
【０００９】
【発明が解決しようとする課題】
しかし、前述の特許文献１及び特許文献２の発明では、マイナスイオンは塵や煙草の煙などをマイナスに帯電させ、空気を清浄にするためだけに用いられ、遊技者の肩こりやイライラを緩和することはできない。
【００１０】
そのような肩こりやイライラを緩和するためには、マイナスイオンを発生させる装置が遊技者の近傍にあることが望ましい。例えば、遊技機の筐体内部の、遊技者が座る位置に近い場所に取り付けることにより、上述の効果が得られることとなる。
【００１１】
その一方、筐体内部の任意の場所に取り付けるということのみでは、装置から発生したマイナスイオンを外部に放出するために、遊技機に新たにマイナスイオンの放出口を設けなければならない等、遊技機のデザインを変更しなければならなくなる場合が生じるので、コストも製造側の労力も要することとなる。更に、近年では、遊技機筐体を再利用することによる省資源化、廃棄物削減がうたわれているが、上述のように新たにマイナスイオンの放出口を設けるためには、筐体を再利用することができないということも起こり得る。
【００１２】
また、遊技機からは大量のプラスイオンを生じており、これらは特に電源やモータから発生するが、遊技機の上方に設置されていては、プラスイオンを中和することができない。
【００１３】
本発明は以上の点に鑑みてなされたもので、遊技機筐体に対してデザインを変更することなく、遊技機の内部または表面にマイナスイオンを発生させ、遊技者に快適な環境を提供する遊技機を提供するものである。
【００１４】
【課題を解決するための手段】
以上のような目的を達成するために、本発明における遊技機は、遊技機内部の音声発生部近傍または動力部近傍にマイナスイオン発生装置が設けられており、従来からあるデザインを変更することなくマイナスイオンを放出させることができることを特徴とする。
【００１５】
より具体的には、本発明は、以下のようなものを提供する。
【００１６】
（１）　筐体と、前記筐体内に設けられた音声発生部と、前記音声発生部から発生される音声を前記筐体前方に放出可能となるように前記筐体に設けられた透音部と、を備える遊技機であって、前記遊技機はマイナスイオンを発生させるマイナスイオン発生部を有し、前記マイナスイオン発生部は前記透音部を介してマイナスイオンを前記筐体前方に放出可能となるように前記透音部の近傍に設けられていることを特徴とする遊技機。
【００１７】
（１）の発明によれば、「前記遊技機はマイナスイオンを発生させるマイナスイオン発生部を有し、前記マイナスイオン発生部は前記透音部を介してマイナスイオンを前記筐体前方に放出可能となるように前記透音部の近傍に設けられている」ので、従来からある遊技機筐体のデザインを変更することなく、マイナスイオンが遊技者に対して放出されることとなる。そのため、資源を余分に消費することがなく、環境問題の改善に貢献することができる。
【００１８】
マイナスイオンとは、負に帯電した酸素分子に水分子が結合したものであり、自然界、特に滝や森林に多く発生する。主な効果は安眠、精神安定作用、自律神経調整作用及び血液の浄化作用である。
【００１９】
本発明では、スピーカの透音口等を通してマイナスイオンが放出可能であるため、遊技者のストレスを和らげ、気分をリフレッシュさせることができ、更に遊技者の健康に寄与することができる。また、従来からある遊技機筐体のデザインを変更する必要がないため、資源を余分に消費することがなく、環境問題の改善に貢献することとなる。また、設置が簡便であり、製造する側の時間的、技術的負担をかけずに設置することが可能となる。
【００２０】
（２）　筐体と、前記筐体内に設けられた動力部と、を備える遊技機であって、前記遊技機はマイナスイオンを発生させるマイナスイオン発生部を有し、前記マイナスイオン発生部は、マイナスイオンを前記動力部に対して放出可能となるように設けられていることを特徴とする遊技機。
【００２１】
（２）の発明によれば、「前記遊技機はマイナスイオンを発生させるマイナスイオン発生部を有し、前記マイナスイオン発生部は、マイナスイオンを前記動力部に対して放出可能となるように設けられている」ため、筐体内部のイオンバランスの調和を図り、プラスイオンが遊技者に放出されることを抑制することができる。
【００２２】
プラスイオンは、都市部に多く発生するものであり、プラスイオンが多くなると細胞が不安定化し、肩こり、腰痛、イライラ等の原因となる。また、プラスイオンはコンピュータや電子機器からも多く発生する。従って、パチンコ遊技機やパチスロ遊技機のような遊技機器にも多く存在し、電力が豊富な電源部や発射部には特に多く発生している。
【００２３】
本発明では、動力部付近にマイナスイオン発生手段を取り付け、マイナスイオンによりプラスイオンを中和する。そのため、遊技者に対して放出されるプラスイオンを減少させることができ、更にマイナスイオンを増加させる。これにより、遊技者の肩こりやイライラ感を減少させることができ、遊技者に快適な環境を提供することができる。
【００２４】
［用語の定義等］
本発明に係る「音声発生部」とは、遊技者に対して音声を発するもののことであり、具体的にはスピーカ等を指す。また、「透音部」とは、音声発生部から発生される音声が遊技者に聞こえるように、音声発生部の前面に設けられたものであり、具体的には透音口等を指す。
【００２５】
また、「動力部」とは、遊技を開始させるために遊技媒体等を動かす場所のことであり、例えば、パチンコ遊技機では発射モータ、スロット遊技機では、リールを駆動させるためのモータ等のことを指す。
【００２６】
【発明の実施の形態】
＜第一の実施形態＞
以下に、本発明の実施形態について図面に基づいて説明する。第一の実施形態として、マイナスイオン発生部はマイナスイオン発生装置であり、これをスピーカ近傍に取り付けた場合について述べる。
【００２７】
本発明による遊技機の概観を示す正面図を図１に示す。尚、以下において説明する実施形態においては、本発明に係る遊技機に好適な実施形態として本発明をパチンコ遊技機に適用した場合を示す。
【００２８】
パチンコ遊技機１０には、本体枠１２と、本体枠１２に組み込まれた遊技盤１４と、遊技盤１４の前面に設けられた本体枠１２の窓枠１６と、窓枠１６の下側で本体枠１２の前面に設けられた上皿２０及び下皿２２と、下皿２２の右側に設けられた発射ハンドル２６と、前面から見て本体枠１２の四隅に設けられた透音口４６（４６ａ〜４６ｄ）と、が配置されている。そして、その背後にスピーカ４５（図２参照）がある。
【００２９】
また、遊技盤１４の前面には複数の障害釘（図示せず）が打ちこまれている。
【００３０】
更に、発射ハンドル２６は本体枠１２に対して回動自在に設けられており、遊技者は発射ハンドル２６を操作することによりパチンコ遊技を進めることができるのである。発射ハンドル２６の裏側には、発射モータ２８が設けられている。
【００３１】
更にまた、発射ハンドル２６の周縁部には、タッチセンサ２９が設けられている。遊技者の手がタッチセンサ２９に触れたときには、タッチセンサ２９から触接検出信号が発せられ、この信号が発せられたことにより遊技者が発射ハンドル２６を握持したとされるのである。発射ハンドル２６が遊技者によって握持され、かつ、時計回り方向へ回動操作されたときには、その回動角度に応じて発射モータ２８に電力が供給され、上皿２０に貯留された遊技球が遊技盤１４に順次発射される。
【００３２】
発射された遊技球は、遊技盤１４上に設けられたガイドレール３０に案内されて遊技盤１４の上部に移動し、その後、上述した複数の障害釘との衝突によりその進行方向を変えながら遊技盤１４の下方に向かって落下する。
【００３３】
上述したスピーカ４５、透音口４６及びマイナスイオン発生装置１３の構成を示す概略図を図２に示す。スピーカ４５はパチンコ遊技機１０の扉体の外側、透音口４６及びマイナスイオン発生装置１３は扉体の内側に取り付けられている。スピーカ４５と透音口４６の間には空隙があり、スピーカ４５及びマイナスイオン発生装置１３は、フレーム５２により支持されている。
【００３４】
スピーカ４５は、音声制御基板に設けられるＣＰＵの命令に従ってデータＲＯＭから読み出された音声データに所定の信号処理を施すことにより得られる波形信号を音声として発生するものである。透音口４６は、発生された音声をパチンコ遊技機１０の外部へ放出するものであり、スピーカ４５を一体的に覆う形態で設けられる。スピーカ４５と透音口４６との間は単なる空間である。透音口４６の底部が、音声が放出される部分であり、その底部は遊技者側に膨出し、さらに音声を放出するための直径１〜２ｍｍ程度の無数の孔が形成されている。従って、スピーカ４５から発生される音声が透音口４６の無数の孔を介してパチンコ遊技機１０外部に放出されるようになっている。
【００３５】
また、スピーカ４５に隣接して、マイナスイオン発生装置１３が設けられている。このような構成にすることにより、透音口４６は、マイナスイオン発生装置１３が発生するマイナスイオンをパチンコ遊技機１０本体の外部に放出する吹出口を形成する。
【００３６】
次に、マイナスイオン発生装置１３からマイナスイオンを放出させる手順を図３に示す。
【００３７】
遊技者がパチンコ遊技機１０で遊技をし、スピーカ４５から音声が流れている最中、マイナスイオン発生装置１３内部の両電極３５、３６間には、放電電極３５を負極、円錐状電極３６を正極にした直流高電圧が電源部３４によって印加されており、図３（ａ）に示されるコロナ放電３７が生じている。コロナ放電３７が生じると、コロナ放電３７近傍の酸素３８がイオン化され、負に帯電する。負の電気を帯びた酸素が空気中の微小な水分３９と結合すると、同図（ｂ）に示すようにマイナスイオン３９ａが生成される。生成されたマイナスイオン３９ａは、多孔質活性炭フィルターコア３１を通過し、細かく純粋なマイナスイオン３９ｂに変換される。ここで、多孔質活性炭フィルターコア３１とは、多孔質の活性炭と特殊セラミックスの粉を混ぜ合わせた活性炭の多孔質焼結フィルターである。特殊セラミックスはマイナスイオン、遠赤外線、低レベル放射線ホルミシス効果を発生させるものである。細かく純粋なものに変換されたマイナスイオン３９ｂは、スピーカコーン紙の振動により生じる気流により同図（ｄ）に示すようにマイナスイオン発生装置１３の外部に放出される。
【００３８】
こうしてマイナスイオン発生装置１３から流出したマイナスイオン３９ｂは、透音口４６からパチンコ遊技機１０の外部に放出される。
【００３９】
マイナスイオンは、血液の浄化作用、新陳代謝の活性化と抵抗力の増進作用を持ち、自然治癒力を高めるものと考えられている。また、体液や細胞、神経に良い影響を与え、臓器や組織の機能を良好にし、自律神経と内分泌機能のバランスを調整すると考えられている。従って、こうして放出されたマイナスイオン３９ｂを遊技者が吸い込むことで、遊技者の血液中の酸素濃度が増加すると共に、眠気や疲労を助長する神経伝達物質「セロトニン」が減少すると考えられる。
【００４０】
このような本発明の実施形態によるパチンコ遊技機１０によれば、上述したように、遊技者はマイナスイオン発生装置１３を内蔵したパチンコ遊技機１０に対面して遊技を行うため、呼吸のたびにマイナスイオン３９ｂを含んだ空気を吸い込むことになる。このため、遊技者は、狭い空間内で遊技をしても、ストレスを感じることが少なくなり、眠気や疲労も改善される。
【００４１】
また、隣の遊技機から煙草の煙などが流れ込んできても、マイナスイオン３９ｂの作用によって煙草の煙が除去、消臭されるため、不快感や健康に対する不安を減少させることができる。
【００４２】
また、本実施形態では、マイナスイオン発生装置１３は、スピーカ４５に隣接して設けられ、透音口４６からマイナスイオン３９ｂが放出される。このため、新たに放出のための装置を設ける必要がなく、余分な資源を消費することがない。従って、環境問題の改善に貢献することができる。
【００４３】
＜第二の実施形態＞
次に、第二の実施形態として、マイナスイオン発生部はマイナスイオン発生塗料であり、これをスピーカに塗装した場合について述べる。
【００４４】
スピーカ４５の構成は上述した通りである。本発明では、スピーカ４５の表面及び側面にマイナスイオン発生塗料を塗布する。マイナスイオン発生塗料は、塗料材料にセラミック粉末及びトルマリン粉末を混合したものである。
【００４５】
セラミック粉末は、マイナスイオン、遠赤外線、低レベル放射線ホルミシス効果を発生させるものである。また、トルマリン粉末は、プラスとマイナスの電極を持っており、熱や圧力といった外的な作用が働くとトルマリンの表面に電荷を生じ、周囲の空気をマイナスイオン化する。これらを含んだ塗料をスピーカ４５の表面及び側面に塗布すると、スピーカコーン紙の振幅で生じる気流により、スピーカ４５と透音口４６との間の空間にマイナスイオンが放出される。そして、マイナスイオンは、透音口４６を通して、パチンコ遊技機１０の外部に放出される。
【００４６】
このような本発明の実施形態によるパチンコ遊技機１０によれば、上述したように、遊技者はマイナスイオン発生塗料を塗布したパチンコ遊技機１０に対面して遊技を行うため、呼吸のたびにマイナスイオンを含んだ空気を吸い込むことになる。このため、遊技者は、狭い空間内で遊技をしても、ストレスを感じることが少なくなり、眠気や疲労も改善される。
【００４７】
また、隣の遊技機から煙草の煙などが流れ込んできても、マイナスイオンの作用によって煙草の煙が除去、消臭されるため、不快感や健康に対する不安を減少させることができる。
【００４８】
また、本実施形態では、スピーカ４５の表面及び側面にマイナスイオン発生塗料を塗布することによりマイナスイオンを発生させる。そのため、従来の設備を変更する必要がなく、塗布するだけでよいので、経済的、技術的な負担を要しない。更に、余分な資源を消費せず、環境問題の改善に貢献することができる。
【００４９】
＜第三の実施形態＞
次に、第三の実施形態として、マイナスイオン発生装置を動力部近傍に取り付けた場合について述べる。本実施形態においては、動力部は、パチンコ遊技機内の発射モータに該当する。
【００５０】
図４に、動力部の概観図を示す。発射モータ２８は、パチンコ遊技機１０の発射ハンドル２６の裏側に取り付けられている。遊技者が発射ハンドル２６を操作すると、タッチセンサ２９から触接検出信号が発せられ、タッチスイッチ回路が発射モータ２８の電源を投入する。これにより発射モータ２８は作動し、遊技球を発射させる。
【００５１】
発射モータ２８が作動すると、プラスイオンが多く発生する。プラスイオンは、プラスに帯電した微粒子であり、プラスイオンが多くなると細胞が不安定化し、肩こり、腰痛、イライラ等の原因となる。プラスイオンはコンピュータや電子機器からも多く発生する。電力が豊富な発射モータ２８の近傍には特に多く発生している。
【００５２】
発射モータ２８に隣接してマイナスイオン発生装置１３が設置されている様子を図５に示す。図５では、発射モータ２８とマイナスイオン発生装置１３以外の装置は省略している。マイナスイオン発生装置１３からマイナスイオンが放出される手順は、上述した図３の通りである。遊技者がパチンコ遊技機１０で遊技をし、発射モータ２８が作動している最中、マイナスイオン発生装置１３内部の両電極３５、３６間には、放電電極３５を負極、円錐状電極３６を正極にした直流高電圧が電源部３４によって印加されており、図３（ａ）に示されるコロナ放電３７が生じている。コロナ放電３７が生じると、コロナ放電３７近傍の酸素３８がイオン化され、負に帯電する。負の電気を帯びた酸素が空気中の微小な水分３９と結合すると、同図（ｂ）に示すようにマイナスイオン３９ａが生成される。生成されたマイナスイオン３９ａは、多孔質活性炭フィルターコア３１を通過し、細かく純粋なマイナスイオン３９ｂに変換される。細かく純粋なものに変換されたマイナスイオン３９ｂは、電源部３４内部に設けられた送風機によって同図（ｄ）に示すようにマイナスイオン発生装置１３の外部に放出される。
【００５３】
こうしてマイナスイオン発生装置１３から流出したマイナスイオン３９ｂは、発射モータ２８の周辺に漂い、発射モータ２８から発生するプラスイオンを中和する。これにより、発射モータ２８周辺のプラスイオンを減少させることができ、遊技者に流出するプラスイオンを減少させることができる。
【００５４】
このような本発明の実施形態によるパチンコ遊技機１０によれば、遊技者にとって有害なプラスイオンを減少させることができる。遊技場は空間が狭く空気も悪く、しかも同じ姿勢で長時間座り続けるため、ストレスがたまりやすく、肩こりや腰痛にもなりやすい。また、遊技機からは多くのプラスイオンが発生し、プラスイオンにより遊技者のストレスは更に増加する。本発明を実施することにより、遊技者の肩こりやイライラを減少させ、遊技者が健康上の害を受けないようにすることができる。
【００５５】
また、本発明では、マイナスイオン発生装置１３は、発射モータ２８の周辺に取り付けるだけでよく、従来の遊技機のデザインを変更させる必要がない。そのため、設置が簡便であり、コスト面、技術面の負担が少なくて済む。また、余分な資源を消費することがなく、環境問題の改善に貢献することができる。
【００５６】
＜第四の実施形態＞
次に、第四の実施形態として、発射モータ２８にマイナスイオン発生塗料を塗布した場合について述べる。
【００５７】
図６に、発射モータ用カバー２７にマイナスイオン発生塗料を塗布した概観を示す。図６では、発射モータ２８と発射モータ用カバー２７以外の装置は省略している。発射モータ用カバー２７は、発射モータ２８の外側に取り付けるカバーである。マイナスイオン発生塗料は、塗料材料にセラミック粉末及びトルマリン粉末を混合したものである。
【００５８】
マイナスイオン発生塗料は、発射モータ用カバー２７の内側に塗布される。遊技者が発射ハンドル２６を操作すると、タッチセンサ２９から触接検出信号が発せられ、タッチスイッチ回路が発射モータ２８の電源を投入する。これにより発射モータ２８は作動し、遊技球を発射させる。発射モータ２８が作動すると、マイナスイオンが発射モータ２８の表面及びその周辺に流出する。一方、発射モータ２８が作動すると、プラスイオンが大量に発生するが、流出したマイナスイオンが、プラスイオンを中和する。これにより、発射モータ２８周辺のプラスイオンを減少させることができ、遊技者に流出するプラスイオンを減少させることができる。遊技場は空間が狭く空気も悪く、しかも同じ姿勢で長時間座り続けるため、ストレスがたまりやすく、肩こりや腰痛にもなりやすい。また、遊技機からは多くのプラスイオンが発生し、プラスイオンにより遊技者のストレスは更に増加する。本発明を実施することにより、遊技者の肩こりやイライラを減少させ、遊技者が健康上の害を受けないようにすることができる。
【００５９】
また、本実施形態では、発射モータ２８のカバーの内側にマイナスイオン発生塗料を塗布することによりマイナスイオンを発生させる。そのため、従来の設備を変更する必要がなく、塗布するだけでよいので、コスト面、技術面での負担が少ない。更に、余分な資源を消費せず、環境問題の改善に貢献することができる。
【００６０】
尚、以上の実施形態においては、マイナスイオン発生部を取り付けた遊技機としてパチンコ遊技機を用いたが、本実施形態はこれに限らず、パチスロ遊技機等、他の種類の遊技機であってもよい。
【００６１】
また、本実施形態においては、マイナスイオンを発生させる方式として、コロナ放電と多孔質活性炭フィルターを組み合わせた方法を用いたが、本実施形態はこれに限らず、コロナ放電のみを用いたもの、パルス放電を用いたもの等、一度装置を取り付ければ、他の物質を補給せずにマイナスイオンを発生させることができるものであれば、他の発生方式であってもよい。
【００６２】
更にまた、本実施形態においては、マイナスイオンを発生させるものとして、マイナスイオン発生装置及びマイナスイオン発生塗料を用いたが、本実施形態はこれに限らず、シート等、音声発生部や動力部の周辺に簡単に取り付けられ、マイナスイオンを発生させるものであれば、他のものであってもよい。
【００６３】
【発明の効果】
本発明によれば、「マイナスイオン発生装置をスピーカ近傍に取り付ける」ので、遊技者のストレス、不快感及び健康に対する不安を減少させることができる。更に、資源を余分に消費することがなく、環境問題の改善に貢献することができる。
【００６４】
また、「マイナスイオン発生装置を発射モータ近傍に取り付ける」ので、筐体内部のイオンバランスの調和を図り、プラスイオンが遊技者に放出されることを抑制することができる。
【図面の簡単な説明】
【図１】本発明によるパチンコ遊技機の概観を示す正面図である。
【図２】本発明においてパチンコ遊技機のスピーカの近傍にマイナスイオン発生装置が設置されている様子を示す概略図である。
【図３】本発明におけるマイナスイオンの発生方法を示す概略図である。
【図４】本発明によるパチンコ遊技機の扉体内部の概観を示す図である。
【図５】本発明においてパチンコ遊技機の発射モータの周辺にマイナスイオン発生装置が設置されている様子を示す概観図である。
【図６】本発明においてパチンコ遊技機の発射モータにマイナスイオン発生塗料が塗布されたカバーを取り付ける様子を示概略図である。
【符号の説明】
１０　パチンコ遊技機
１３　マイナスイオン発生装置
２６　発射ハンドル
２８　発射モータ
３１　多孔質活性炭フィルターコア
３７　コロナ放電
３８　酸素
３９　水分
３９ａ、３９ｂ　マイナスイオン
４５　スピーカ
４６　透音口
５２　フレーム
【図１】
2004121574.tif 000003
【図２】
2004121574.tif 000004
【図３】
2004121574.tif 000005
【図４】
2004121574.tif 000006
【図５】
2004121574.tif 000007
【図６】
2004121574.tif 000008